(57)【要約】      （修正有）【課題】耐圧防爆仕様であっても配線の端子の保守点検が簡単に行える回転電機の提供。【解決手段】モータケースは、端子台４４を収容する端子台収容空間を有し、ケース本体の外周に設けた端子台ケース３１を備え、端子台ケース３１は、ケース本体２１と一体形成され、ケース本体２１の外周から径方向の外方へ張り出すケース壁体と、ケース壁体における張出方向の頂部に開口する頂部開口部３４と、防爆隙間を介してケース壁体と接合され、頂部開口部３４を覆う頂部カバー体４０と、を備え、リード線１８Ｕ、１８Ｖ、１８Ｗは、端子台４４に接続され、外部配線４６Ｕ、４６Ｖ、４６Ｗは、ケース壁体に設けられた貫通孔４５Ｕ、４５Ｖ、４５Ｗを通じて端子台４４に接続され、頂部カバー体４０は、端子台４４に接続されるリード線１８Ｕ、１８Ｖ、１８Ｗおよび外部配線４６Ｕ、４６Ｖ、４６Ｗの端子を点検する点検用通孔６５と、点検通孔６５を封止する着脱可能な封栓プラグ６６と、を有した。【選択図】図５
0003218112.tif 000002
【実用新案登録請求の範囲】
【請求項１】
回転軸を備えたロータと、
前記ロータの周囲を覆い、ステータコアおよびコイルを有するステータと、
前記ロータおよび前記ステータを収容するモータケースと、
前記コイルから引き出されたリード線および前記モータケースの外部から引き込まれた外部配線を接続する端子台と、を備え、
前記モータケースは、
前記ロータおよび前記ステータを収容するモータ収容空間を有し、少なくとも一方の端部に開口を有する筒状のケース本体と、
前記回転軸を支持し、前記開口を覆う端部カバー体と、を備えた回転電機において、
前記モータケースは、前記端子台を収容する端子台収容空間を有し、前記ケース本体の外周に設けた端子台ケースを備え、
前記ケース本体は、前記モータ収容空間と前記端子台収容空間を連通する切欠き部を備え、
前記端子台ケースは、
前記ケース本体と一体形成され、前記ケース本体の外周から径方向の外方へ張り出すケース壁体と、
前記ケース壁体における張出方向の頂部に開口する頂部開口部と、
防爆隙間を介して前記ケース壁体と接合され、前記頂部開口部を覆う頂部カバー体と、を備え、
前記端子台は、前記端子台収容空間に収容され、
前記リード線は、前記モータ収容空間から前記切欠き部を通じて前記端子台に接続され、
前記外部配線は、前記ケース壁体に設けられた貫通孔を通じて前記端子台に接続され、
前記頂部カバー体は、
前記端子台に接続される前記リード線および前記外部配線の端子を点検するための点検用通孔と、
前記点検用通孔を封止する着脱可能な封栓プラグと、を有し、
前記点検用通孔は、前記リード線および前記外部配線の端子を点検する点検工具の挿入および操作を可能とする開口面積を有することを特徴とする回転電機。
【請求項２】
前記リード線は、Ｕ相リード線、Ｖ相リード線およびＷ相リード線であり、
前記外部配線は、Ｕ相外部配線、Ｖ相外部配線およびＷ相外部配線であり、
前記端子台ケースは、
Ｕ相リード線およびＵ相外部配線が接続されるＵ相端子部と、
Ｖ相リード線およびＶ相外部配線が接続されるＶ相端子部と、
Ｗ相リード線およびＷ相外部配線が接続されるＷ相端子部と、を備え、
前記Ｕ相端子部、前記Ｖ相端子部および前記Ｗ相端子部は、前記点検工具による点検が可能な位置に可及的に近接して直線状に配設されていることを特徴とする請求項１に記載の回転電機。
【請求項３】
前記貫通孔は、Ｕ相貫通孔、Ｖ相貫通孔およびＷ相貫通孔であり、
前記ケース壁体は、前記Ｕ相貫通孔、前記Ｖ相貫通孔および前記Ｗ相貫通孔を設けた壁部を有し、
前記Ｕ相貫通孔、前記Ｖ相貫通孔および前記Ｗ相貫通孔は、前記Ｕ相外部配線、前記Ｖ相外部配線および前記Ｗ相外部配線が前記端子台から離れるにつれて互いに離れるように、前記ケース壁体に設けられていることを特徴とする請求項２記載の回転電機。
【請求項４】
前記ケース壁体は、
前記Ｕ相貫通孔が設けられ、前記Ｕ相貫通孔の軸線と直交するＵ相壁部と、
前記Ｖ相貫通孔が設けられ、前記Ｖ相貫通孔の軸線と直交するＶ相壁部と、
前記Ｗ相貫通孔を設けられ、前記Ｗ相貫通孔の軸線と直交するＷ相壁部を有することを特徴とする請求項３記載の回転電機。
【考案の詳細な説明】
【技術分野】
【０００１】
本考案は、回転電機に関し、特に、耐圧防爆仕様の回転電機に関する。
【背景技術】
【０００２】
回転電機の従来技術としては、例えば、特許文献１には、耐圧防爆仕様の回転電機が開示されている。特許文献１では、モータケースは、端子台を収容する端子台収容空間を有し、ケース本体の外周に設けた端子台ケースを備えている。ケース本体は、モータ収容空間と端子台収容空間を連通する切欠き部と、ケース本体の外周において切欠き部を囲う端子台ケースと、を備えている。端子台ケースは、一対の側壁部および正面壁部における張出方向の頂部に開口する頂部開口部を備えるほか、一対の側壁部における後端部側に開口する端部開口部を備える。端子台ケースは、頂部開口部を覆う方形の頂部カバー体を備えている。頂部カバー体には、ボルトを挿通する挿通孔が設けられている。頂部カバー体はボルトにより、防爆隙間を介して端子台ケースの頂部開口部側の端面と接合されている。そして、特許文献１に開示された回転電機によれば、回転軸の軸方向における短縮化および組付作業の容易化が可能となる。
【０００３】
ところで、特許文献１に開示された回転電機は、耐圧防爆仕様の回転電機のため、国内防爆指針および国際規格に基づく配線の端子の定期点検が義務付けられている。そして、回転電機が車両に搭載されている場合には、回転電機が車両に搭載された状態のままで定期点検を行うことが商業的に要請されている。
【先行技術文献】
【特許文献】
【０００４】
【特許文献１】特開２０１７−７７０３７号公報
【考案の概要】
【考案が解決しようとする課題】
【０００５】
しかしながら、特許文献１に開示された回転電機の配線の端子を保守点検する場合、多数のボルトにより端子台ケースに接合されている頂部カバー体を取り外す必要があり、頂部カバー体の取り外し作業は煩雑であり時間がかかるという問題がある。また、複数の配線の端子が存在するため、各配線の端子を点検する点検工具の操作スペースを確保する必要もあり、回転電機のレイアウトが制約を受けるという問題も存在する。
【０００６】
本考案は上記の問題点に鑑みてなされたもので、本考案の目的は、耐圧防爆仕様であっても配線の端子の保守点検が簡単に行える回転電機の提供にある。
【課題を解決するための手段】
【０００７】
上記課題を達成するため、本考案は、回転軸を備えたロータと、前記ロータの周囲を覆い、ステータコアおよびコイルを有するステータと、前記ロータおよび前記ステータを収容するモータケースと、前記コイルから引き出されたリード線および前記モータケースの外部から引き込まれた外部配線を接続する端子台と、を備え、前記モータケースは、前記ロータおよび前記ステータを収容するモータ収容空間を有し、少なくとも一方の端部に開口を有する筒状のケース本体と、前記回転軸を支持し、前記開口を覆う端部カバー体と、を備えた回転電機において、前記モータケースは、前記端子台を収容する端子台収容空間を有し、前記ケース本体の外周に設けた端子台ケースを備え、前記ケース本体は、前記モータ収容空間と前記端子台収容空間を連通する切欠き部を備え、前記端子台ケースは、前記ケース本体と一体形成され、前記ケース本体の外周から径方向の外方へ張り出すケース壁体と、前記ケース壁体における張出方向の頂部に開口する頂部開口部と、防爆隙間を介して前記ケース壁体と接合され、前記頂部開口部を覆う頂部カバー体と、を備え、前記端子台は、前記端子台収容空間に収容され、前記リード線は、前記モータ収容空間から前記切欠き部を通じて前記端子台に接続され、前記外部配線は、前記ケース壁体に設けられた貫通孔を通じて前記端子台に接続され、前記頂部カバー体は、前記端子台に接続される前記リード線および前記外部配線の端子を点検するための点検用通孔と、前記点検用通孔を封止する着脱可能な封栓プラグと、を有し、前記点検用通孔は、前記リード線および前記外部配線の端子を点検する点検工具の挿入および操作を可能とする開口面積を有する。
【０００８】
本考案では、頂部カバー体に封栓プラグにより封止される点検用通孔が設けられ、点検用通孔は、リード線の端子および外部配線の端子を点検する点検工具の挿入および操作を可能とする開口面積を有する。このため、封栓プラグを取り外せば、端子台ケースから頂部カバー体を取り外すことなく、点検工具を点検孔に挿入して操作することによりリード線の端子および外部配線の端子の点検が可能である。したがって、回転電機が耐圧防爆仕様であっても、リード線の端子および外部配線の端子に対して点検工具を用いて簡単に点検することができる。
【０００９】
また、上記の回転電機において、前記リード線は、Ｕ相リード線、Ｖ相リード線およびＷ相リード線であり、前記外部配線は、Ｕ相外部配線、Ｖ相外部配線およびＷ相外部配線であり、前記端子台ケースは、Ｕ相リード線およびＵ相外部配線が接続されるＵ相端子部と、Ｖ相リード線およびＶ相外部配線が接続されるＶ相端子部と、Ｗ相リード線およびＷ相外部配線が接続されるＷ相端子部と、を備え、前記Ｕ相端子部、前記Ｖ相端子部および前記Ｗ相端子部は、前記点検工具による点検が可能な位置に可及的に近接して直線状に配設されている構成としてもよい。
この場合、端子台におけるＵ相端子部、Ｖ相端子部およびＷ相端子部は、点検工具による点検が可能な位置に可及的に近接して直線状に配設されているので、点検工具による点検が可能である一方で、点検工具の操作に必要な操作スペースが抑制されており、回転電機のレイアウトが制約を受けることはない。
【００１０】
また、上記の回転電機において、前記貫通孔は、Ｕ相貫通孔、Ｖ相貫通孔およびＷ相貫通孔であり、前記ケース壁体は、前記Ｕ相貫通孔、前記Ｖ相貫通孔および前記Ｗ相貫通孔を設けた壁部を有し、前記Ｕ相貫通孔、前記Ｖ相貫通孔および前記Ｗ相貫通孔は、前記Ｕ相外部配線、前記Ｖ相外部配線および前記Ｗ相外部配線が前記端子台から離れるにつれて互いに離れるように、前記ケース壁体に設けられている構成としてもよい。
この場合、端子台におけるＵ相端子部、Ｖ相端子部およびＷ相端子部は、点検工具による点検が可能な位置に可及的に近接して直線状に配設しても、Ｕ相貫通孔、Ｖ相貫通孔およびＷ相貫通孔は互いに干渉することなくケース壁体に設けることができる。
【００１１】
また、上記の回転電機において、前記ケース壁体は、前記Ｕ相貫通孔が設けられ、前記Ｕ相貫通孔の軸線と直交するＵ相壁部と、前記Ｖ相貫通孔が設けられ、前記Ｖ相貫通孔の軸線と直交するＶ相壁部と、前記Ｗ相貫通孔を設けられ、前記Ｗ相貫通孔の軸線と直交するＷ相壁部を有する構成としてもよい。
この場合、Ｕ相貫通孔、Ｖ相貫通孔およびＷ相貫通孔の軸線と直交するＵ相壁部、Ｖ相壁部およびＷ相壁部が設けられるので、Ｕ相貫通孔、Ｖ相貫通孔およびＷ相貫通孔を互いに干渉させることなくケース壁体に設けることが容易となる。
【考案の効果】
【００１２】
本考案によれば、耐圧防爆仕様であっても配線の端子の保守点検が簡単に行える回転電機を提供することができる。
【図面の簡単な説明】
【００１３】
【図１】本考案の実施形態に係る電動モータを示す縦断面図である。
【図２】本考案の実施形態に係るリヤカバーが取り外された状態の電動モータの後面図である。
【図３】本考案の実施形態に係る電動モータの一部を分解して示す分解斜視図である。
【図４】本考案の実施形態に係る電動モータの端子台付近を示す平面図である。
【図５】本考案の電動モータの点検作業を説明する要部正面図である。
【図６】別例に係る電動モータの端子台付近を示す平面図である。
【考案を実施するための形態】
【００１４】
以下、本考案の実施形態に係る回転電機としての電動モータについて図面を参照して説明する。図１に示す本実施形態の電動モータ１０は耐圧防爆仕様の三相誘導電動機である。図１では、電動モータ１０の右方を前方とし、左方を後方とする。
【００１５】
電動モータ１０は、ロータ１１と、ロータ１１の周囲を覆うステータ１２と、ロータ１１およびステータ１２を収容するモータケース１３と、を備えている。ロータ１１は、ロータコア１４とロータコア１４の中心に挿通され、ロータコア１４に固定された回転軸１５を備えている。回転軸１５の前端部は、モータケース１３から突出しており、回転軸１５の後端部はモータケース１３に支持されている。ステータ１２は、ロータコア１４の周囲を覆う円筒状のステータコア１６と、ステータコア１６に巻かれたコイル１７とを備える。ステータコア１６の外周がモータケース１３の内壁に固定されている。ステータコア１６の前後の両端にはコイル１７のコイルエンドが形成されている。後端のコイルエンドの上部からリード線１８が引き出されている。図２に示すように、リード線１８は、Ｕ相リード線１８Ｕ、Ｖ相リード線１８Ｖ、Ｗ相リード線１８Ｗである。図４に示すように、リード線１８（１８Ｕ、１８Ｖ、１８Ｗ）の端部には、丸形の圧着端子１９（１９Ｕ、１９Ｖ、１９Ｗ）がそれぞれ備えられている。
【００１６】
次に、モータケース１３について説明する。モータケース１３は、筒状のケース本体２１とケース本体２１に接合されるフロントカバー２２およびリヤカバー２３を備えている。ケース本体２１は、筒状であって前後の両端部に開口２４、２５を備えているほか、ロータ１１およびステータ１２を収容可能なモータ収容空間Ｓ１を有する。ケース本体２１の前端部の端面２６には、ボルト２７が螺入されるねじ孔（図示せず）が複数設けられている。図２、図３に示すように、ケース本体２１の後端部の端面２８には、ボルト２７が螺入されるねじ孔２９が多数設けられている。
【００１７】
図３に示すように、本実施形態のケース本体２１は、後端部（一方の端部）から前端部（他方の端部）へ向けてケース本体２１の一部を凹状に切欠くことにより形成された切欠き部３０を備えている。切欠き部３０はモータ収容空間Ｓ１と連通する。切欠き部３０はＵ相リード線１８Ｕ、Ｖ相リード線１８ＶおよびＷ相リード線１８Ｗを容易に挿通する空間部を形成している。図３では、説明の便宜上、Ｕ相リード線１８Ｕ、Ｖ相リード線１８ＶおよびＷ相リード線１８Ｗの図示が省略されている。なお、図１では、切欠き部３０に相当する範囲を二点鎖線Ｌにて示す。
【００１８】
ケース本体２１は、ケース本体２１の外周において切欠き部３０を囲う端子台ケース３１を備えている。端子台ケース３１は、ケース本体２１の外周から径方向の外方へ張り出すケース壁体を備えている。ケース壁体は、ケース本体２１の後端部から前端部へ向かう一対の側壁部３２と側壁部３２の前端部と接続されている正面壁部３３とを備える。端子台ケース３１は、一対の側壁部３２および正面壁部３３における張出方向の頂部に開口する頂部開口部３４を備えるほか、一対の側壁部３２における後端部側に開口する端部開口部３５を備える。端部開口部３５はケース本体２１の開口２５と繋がっている。
【００１９】
端子台ケース３１は、一対の側壁部３２の張出方向における頂部において、側壁部３２の後端部を接続する仕切り部３６を備えている。仕切り部３６は、頂部開口部３４と端部開口部３５を仕切る。端子台ケース３１の端部開口部３５側の端面３９は、一対の側壁部３２および仕切り部３６の後部側の端面により形成されており、ケース本体２１の後端部の端面２８は同一面に形成されている。端子台ケース３１の端部開口部３５側の端面３９には、ボルト２７が螺入されるねじ孔３８が形成されている。ケース本体２１の端面２８および端子台ケース３１の端面３９にはリヤカバー２３が接合される。
【００２０】
端子台ケース３１の頂部開口部３４側の端面３７は、一対の側壁部３２、正面壁部３３および仕切り部３６のそれぞれの頂部側の端面により形成されている。端子台ケース３１は、頂部開口部３４を覆う方形の頂部カバー体４０を備えている。頂部カバー体４０には、ボルト４１を挿通する挿通孔４２が設けられている。頂部カバー体４０はボルト４１により、防爆隙間を介して端子台ケース３１の頂部開口部３４側の端面３７と接合されている。防爆隙間については、国内防爆指針および国際規格により規定されている。
【００２１】
端子台ケース３１の内部には端子台収容空間Ｓ２が形成されている。端子台ケース３１の頂部開口部３４側の端面３７には、ボルト４１が螺入されるねじ孔４３が形成されている。端子台収容空間Ｓ２は、端子台ケース３１とケース本体２１の一部とにより形成されている。端子台収容空間Ｓ２は、切欠き部３０を介してモータ収容空間Ｓ１と連通する。端子台収容空間Ｓ２は、後述する端子台４４を収容する空間部である。
【００２２】
端子台ケース３１の正面壁部３３には貫通孔４５が形成されており、貫通孔４５は端子台４４と接続される外部から引き込まれる配線である外部配線４６の挿通を可能とする。図４に示すように、外部配線４６はＵ相外部配線４６Ｕ、Ｖ相外部配線４６Ｖ、Ｗ相外部配線４６Ｗである。図４に示すように、外部配線４６（４６Ｕ、４６Ｖ、４６Ｗ）の端部には、丸形の圧着端子５５（５５Ｕ、５５Ｖ、５５Ｗ）がそれぞれ備えられている。また、貫通孔４５は、Ｕ相貫通孔４５Ｕ、Ｖ相貫通孔４５ＶおよびＷ相貫通孔４５Ｗである。図１ではＶ相外部配線４６Ｖのみが図示される。そして、図４に示すように、正面壁部３３は、Ｕ相貫通孔４５Ｕの軸心と直交するＵ相壁部３３Ｕと、Ｖ相貫通孔４５Ｖの軸心と直交するＶ相壁部３３Ｖと、Ｗ相貫通孔４５Ｗの軸心と直交するＷ相壁部３３Ｗとを有している。Ｖ相貫通孔４５Ｖの軸線は、回転軸１５の軸方向Ｐと平行であり、正面壁部３３におけるＵ相貫通孔４５ＵおよびＷ相貫通孔４５Ｗの軸線は、Ｖ相貫通孔４５Ｖの軸線に対して傾斜しており、端子台４４から離れるにつれてＶ相貫通孔４５Ｖの軸心から遠ざかる。したがって、図４に示すように、Ｕ相壁部３３ＵとＷ相壁部３３ＷはＶ相壁部３３Ｖに対して傾斜角度θにて傾斜している。
【００２３】
次に、フロントカバー２２およびリヤカバー２３について説明する。フロントカバー２２はケース本体２１の開口２４が円形であるため円形である。フロントカバー２２の中心には、回転軸１５を挿通する軸孔４７が形成されている。フロントカバー２２のケース側には回転軸１５を支持する軸受４８が備えられている。フロントカバー２２の外側には軸孔４７の気密性を図るためのシール部材４９が設けられている。フロントカバー２２は、ケース本体２１の前端部と防爆隙間を設定して接合される。本実施形態では、フロントカバー２２は、ケース本体２１の端面２６と接合する第１接合面５０と、第１接合面５０から回転軸１５の軸方向Ｐに平行であってケース本体２１の内周面と接合する第２接合面５１を有する。第１接合面５０と第２接合面５１が段差を形成することによりケース本体２１の前端部とフロントカバー２２との防爆隙間が確保されている。
【００２４】
本実施形態のリヤカバー２３は端部カバー体に相当する。図３に示すように、リヤカバー２３は、ケース本体２１の開口２５を覆うカバー本体部５２と、カバー本体部５２と一体形成され、端子台ケース３１の端部開口部３５を覆うカバー拡張部５３を備えている。カバー本体部５２は略円形の開口２５の形状に合わせて略円形である。図１に示すように、カバー本体部５２の中心には回転軸１５の後端を支持する軸受５４と、を備えている。カバー拡張部５３は端子台ケース３１の略方形の端部開口部３５の形状に合わせて略方形である。リヤカバー２３はカバー本体部５２の中心付近を除きほぼ平板状である。リヤカバー２３の外周縁の近くにはボルト２７を挿通する挿通孔５６が複数形成されている。
【００２５】
リヤカバー２３は、ケース本体２１の後端部および端子台ケース３１の後端部に防爆隙間を設定して接合される。本実施形態では、リヤカバー２３は、ケース本体２１の端面２８および端子台ケース３１の端面３９と接合する第１接合面５７と、第１接合面５７から回転軸１５の軸方向Ｐに平行であってケース本体２１の内周面と接合する第２接合面５８を有する。第１接合面５７と第２接合面５８が段差を形成することによりケース本体２１および端子台ケース３１とリヤカバー２３との防爆隙間が確保されている。
【００２６】
図１および図２に示すように、リヤカバー２３のカバー本体部５２におけるケース本体２１側には、一対の回転センサ６０をそれぞれ支持する一対のセンサ支持部５９が備えられている。センサ支持部５９は、カバー本体部５２におけるケース本体２１側からコイル１７へ向けて張り出して形成されている。本実施形態では、回転軸１５の後端部付近に、検出対象である多数のスリットを備えたスリット回転体６１が固定されている。回転センサ６０は、スリット回転体６１のスリットを光学的に読み取るセンサである。２個の回転センサ６０が設けられている理由は、回転軸１５の回転方向（正回転、逆回転）を検知するためである。センサ支持部５９に支持された回転センサ６０は、モータ収容空間Ｓ１および切欠き部３０にわたって配置されている。
【００２７】
次に、端子台収容空間Ｓ２に収容されている端子台４４について説明する。端子台４４は、コイル１７から引き出されたリード線１８と外部配線４６とを電気的に接続するためのものである。端子台４４は、端子台収容空間Ｓ２において切欠き部３０の前方となるようにケース本体２１に固定されている。端子台４４は、リード線１８および外部配線４６が接続される端子部６２を備えており、端子部６２にはコイル１７から引き出されたリード線１８と外部配線４６が接続されている。端子部６２は、Ｕ相端子部６２Ｕ、Ｖ相端子部６２Ｖ、Ｗ相端子部６２Ｗである。リード線１８はモータ収容空間Ｓ１から切欠き部３０を通じて円弧状に曲げられている。端子台４４から端子台ケース３１の外部へ引き出される外部配線４６は、正面壁部３３の貫通孔４５を挿通される。貫通孔４５には外部配線４６が挿通されるシール部材６３が介在され、正面壁部３３の正面側にはシール部材６３を押し付ける押圧部材６４が固定されている。
【００２８】
ところで、本実施形態では、頂部カバー体４０を端子台ケース３１から取り外さずに国内防爆指針および国際規格に基づく端子台４４における各配線の端子の定期点検を行うことができる工夫がなされている。頂部カバー体４０の中心付近には、端子台４４の端子部６２に接続されるリード線１８の端子および外部配線４６の端子を点検する点検用通孔６５が形成されている。点検用通孔６５は、ねじ孔であり、リード線１８の端子および外部配線４６の端子を点検する図５に示す点検工具Ｔの挿入および操作を可能とする開口面積を有する。点検工具Ｔは、リード線１８の端子および外部配線４６の端子の緩みの有無を確認する工具である。開口面積は、点検用通孔６５から端子台４４の端子部６２までの距離により規定される。例えば、図４に示すように、Ｕ相端子部６２Ｕ、Ｖ相端子部６２Ｖ、Ｗ相端子部６２Ｗの間隙Ａが小さくなるにつれて点検用通孔６５とＵ相端子部６２Ｕ、Ｗ相端子部６２Ｗまでの距離は短縮化される。このため、点検用通孔６５の開口面積を小さくすることが可能である。
【００２９】
点検用通孔６５には螺入により封止する着脱可能な封栓プラグ６６が装着されている。封栓プラグ６６は、端子台４４の端子部６２の点検以外のときは、点検用通孔６５を封止し、点検の際には取り外される。封栓プラグ６６は、雄ねじを有する軸部６７と軸部６７の端部に設けられたフランジ部６８を有している。
【００３０】
次に、本実施形態の電動モータ１０における端子台４４における各配線の端子の定期点検の手順について説明する。点検作業者は、予め電動モータ１０を停止しておき、電動モータ１０への電力が供給されないようにする。次に、点検作業者は、点検用通孔６５を封止している封栓プラグ６６を取り外す。点検作業者は、点検工具Ｔを点検用通孔６５に挿入し、点検工具Ｔを用いて端子台４４におけるＵ相リード線１８Ｕ、Ｖ相リード線１８Ｖ、Ｗ相リード線１８Ｗ、Ｕ相外部配線４６Ｕ、Ｖ相外部配線４６Ｖ、Ｗ相外部配線４６Ｗを点検する。点検が終了した後、点検作業者は、封栓プラグ６６を点検用通孔６５に螺入して点検用通孔６５を封止する。
【００３１】
本実施形態の電動モータ１０は以下の作用効果を奏する。
（１）頂部カバー体４０に封栓プラグ６６により封止される点検用通孔６５が設けられ、点検用通孔６５は、リード線１８の端子および外部配線４６の端子を点検する点検工具Ｔの挿入および操作を可能とする開口面積を有する。このため、封栓プラグ６６を取り外せば、端子台ケース３１から頂部カバー体４０を取り外すことなく、点検工具Ｔを点検用通孔６５に挿入して操作することによりリード線１８の端子および外部配線４６の端子の点検が可能である。したがって、電動モータ１０が耐圧防爆仕様であっても、頂部カバー体４０を取り外す煩雑な作業が不要となり、リード線１８の端子および外部配線４６の端子に対して点検工具Ｔを用いて簡単に点検することができる。
【００３２】
（２）端子台４４におけるＵ相端子部６２Ｕ、Ｖ相端子部６２ＶおよびＷ相端子部６２Ｗは、点検工具Ｔによる点検が可能な位置に可及的に近接して直線状に配設されているので、点検工具Ｔによる点検が可能である一方で、点検工具Ｔの操作に必要な操作スペースが抑制されており、車両等の搭載先において電動モータ１０のレイアウトが制約を受けることはない。
【００３３】
（３）端子台４４におけるＵ相端子部６２Ｕ、Ｖ相端子部６２ＶおよびＷ相端子部６２Ｗは、点検工具Ｔによる点検が可能な位置に可及的に近接して直線状に配設しても、Ｕ相貫通孔４５Ｕ、Ｖ相貫通孔４５ＶおよびＷ相貫通孔４５Ｗは互いに干渉することなく端子台ケース３１のケース壁体に設けることができる。
【００３４】
（４）Ｕ相貫通孔４５Ｕ、Ｖ相貫通孔４５ＶおよびＷ相貫通孔４５Ｗの軸線と直交するＵ相壁部３３Ｕ、Ｖ相壁部３３ＶおよびＷ相壁部３３Ｗが設けられるので、Ｕ相貫通孔４５Ｕ、Ｖ相貫通孔４５ＶおよびＷ相貫通孔４５Ｗを互いに干渉させることなく端子台ケース３１のケース壁体に設けることが容易となる。
【００３５】
（５）頂部カバー体４０に設けた点検用通孔６５と、封栓プラグ６６を設ければよいため、部品点数の増加は封栓プラグ６６のみであり、電動モータ１０の製造コストを抑制することができる。また、内防爆指針および国際規格に基づく端子台４４における各配線の端子の点検作業の容易化による作業コストの低減と相俟って、電動モータ１０の製造コストの低減が期待できる。
【００３６】
（変形例）
次に、変形例について説明する。本変形例では、図６に示すように、外部配線４６（４６Ｕ、４６Ｖ、４６Ｗ）のうち、Ｕ相外部配線４６ＵおよびＷ相外部配線４６Ｗの丸型の圧着端子５５Ｕ、５５Ｗから旗型の圧着端子７２Ｕ、７２Ｗに変更している。Ｖ相外部配線４６Ｖは丸型の圧着端子５５Ｖである。端子台ケース３１の正面壁部７１は傾斜する壁部を備えていない。
【００３７】
本変形例では、Ｕ相外部配線４６ＵおよびＷ相外部配線４６Ｗの丸型の圧着端子５５Ｕ、５５Ｗを旗型の圧着端子７２Ｕ、７２Ｗに変更している。このため、旗型の圧着端子７２Ｕの中心に対してＵ相外部配線４６Ｕの軸線およびＷ相外部配線４６ＷがＶ相外部配線４６Ｖから離れる方向へオフセットされる。したがって、Ｕ相端子部６２Ｕ、Ｖ相端子部６２ＶおよびＷ相端子部６２Ｗの配列方向の間隙Ａを狭くし、Ｕ相端子部６２Ｕ、Ｖ相端子部６２ＶおよびＷ相端子部６２Ｗを、点検工具Ｔによる点検が可能な位置に可及的に近接して直線状に配設することができる。また、Ｕ相外部配線４６Ｕ、Ｖ相外部配線４６Ｖ、Ｗ相外部配線４６Ｗの間隙Ａが実施形態と比較して大きくなるので、正面壁部７１に傾斜する壁部を形成することなく、正面壁部７１にＵ相貫通孔４５Ｕ、Ｖ相貫通孔４５Ｖ、Ｗ相貫通孔４５Ｗを設けることができる。また、傾斜する壁部を有する正面壁部３３と比較して、端子部６２の間隙Ａをより小さくすることが可能である。
【００３８】
本考案は、上記の実施形態に限定されるものではなく考案の趣旨の範囲内で種々の変更が可能であり、例えば、次のように変更してもよい。
【００３９】
○  上記の実施形態（別例を含む）では、傾斜する壁部を有する正面壁部としたり、旗型の圧着端子を用いたりすることにより、Ｕ相端子部、Ｖ相端子部およびＷ相端子部は可及的に近接して直線状に配設されたが、この限りではない。例えば、Ｕ相端子部およびＷ相端子部をＶ相端子部へ近接するように傾斜させてもよい。
○  上記の実施形態（別例を含む）では、回転電機として三相誘導電動機を例示したが、電動モータの種類を制限する趣旨ではない。回転電機としては、例えば、同期電動（発電）機であってもよい。
【符号の説明】
【００４０】
１０  電動モータ
１１  ロータ
１２  ステータ
１３  モータケース
１５  回転軸
１６  ステータコア
１７  コイル
１８（１８Ｕ、１８Ｖ、１８Ｗ）  リード線
１９（１９Ｕ、１９Ｖ、１９Ｗ）  圧着端子
２１  ケース本体
２２  フロントカバー
２３  リヤカバー（端部カバー体）
３０  切欠き部
３１  端子台ケース
３３、７１  正面壁部
３４  頂部開口部
４０  頂部カバー体
４４  端子台
４５（４５Ｕ、４５Ｖ、４５Ｗ）  貫通孔
４６（４６Ｕ、４６Ｖ、４６Ｗ）  外部配線
５５（５５Ｕ、５５Ｖ、５５Ｗ）  圧着端子（丸型）
６５  点検用通孔
６６  封栓プラグ
７２Ｕ、７２Ｗ  圧着端子（旗型）
Ｌ  二点鎖線（切欠き部）
Ｓ１  モータ収容空間
Ｓ２  端子台収容空間
Ｔ  点検工具
【図１】
0003218112.tif 000003
【図２】
0003218112.tif 000004
【図３】
0003218112.tif 000005
【図４】
0003218112.tif 000006
【図５】
0003218112.tif 000007
【図６】
0003218112.tif 000008